(57)【要約】      （修正有）【課題】プロジェクタを用いて画像を投影することができるスクリーンを備えた可搬型収納ケースを提供する。【解決手段】展開可能に構成され、内面がプロジェクタにより投写される画像を投影する材料により構成される収納部６を有する。展開後の前記収納部の内面を平面に固定する固定部材を備える。前記固定部材は、前記収納部の外面に備える。また、前記収納部の内面を画像表示部として自立するように組立可能に構成される。更に他の可搬型収納ケースと接続する接続部を備える。【選択図】図２
2009276432.tif 000002
【特許請求の範囲】
【請求項１】
展開可能に構成され、内面がプロジェクタにより投写される画像を投影する材料により構成される収納部を有することを特徴とする可搬型収納ケース。
【請求項２】
展開後の前記収納部の内面を平面に固定する固定部材を備えることを特徴とする請求項１記載の可搬型収納ケース。
【請求項３】
前記固定部材は、前記収納部の外面に備えることを特徴とする請求項２記載の可搬型収納ケース。
【請求項４】
前記収納部の内面を画像表示部として自立するように組立可能に構成されることを特徴とする請求項１〜請求項３の何れか一項に記載の可搬型収納ケース。
【請求項５】
他の可搬型収納ケースと接続する接続部を備えることを特徴とする請求項１〜請求項４の何れか一項に記載の可搬型収納ケース。
【請求項６】
前記収納部には、プロジェクタ機能を有する携帯型電子機器が収納されることを特徴とする請求項１〜請求項５の何れか一項に記載の可搬型収納ケース。
【請求項７】
前記収納部には、プロジェクタ機能を有する携帯型撮像装置が収納されることを特徴とする請求項１〜請求項５の何れか一項に記載の可搬型収納ケース。
【発明の詳細な説明】
【技術分野】
【０００１】
本発明は、可搬型収納ケースに関するものである。
【背景技術】
【０００２】
従来、プロジェクタを用いて画像を投影する際、画像を投影するためのスクリーンが必要であった（例えば、特許文献１参照）。スクリーンがない場合においては、略均一な白色または明るい灰色をした平坦な壁や障子などに画像を投影していた。
【特許文献１】特開２００６−２７７５５２号公報
【発明の開示】
【発明が解決しようとする課題】
【０００３】
ところで、近年、プロジェクタユニットを備えたデジタルカメラが提案されている。このデジタルカメラにおいては、撮影機能を用いて撮影された画像を、プロジェクタ機能を用いることにより多くの人が一度に鑑賞することができる。しかしながら、近辺に略均一な白色または明るい灰色をした平坦な壁や障子など、画像を投影するのに適当なスクリーンがない場合、プロジェクタ機能を用いて撮影された画像を鑑賞するのは困難であった。
【０００４】
本発明の目的は、プロジェクタを用いて画像を投影することができるスクリーンを備えた可搬型収納ケースを提供することである。
【課題を解決するための手段】
【０００５】
本発明の可搬型収納ケースは、展開可能に構成され、内面がプロジェクタにより投写される画像を投影する材料により構成される収納部を有することを特徴とする。
【発明の効果】
【０００６】
本発明の可搬型収納ケースによれば、展開した収納部の内面に、プロジェクタにより投影される画像を表示することができるため、投影するために適当なスクリーン、例えば略均一な白色や明るい灰色で平坦な壁や障子などがない場合においても、プロジェクタにより投影される画像を容易に鑑賞することができる。
【発明を実施するための最良の形態】
【０００７】
以下、図面を参照して本発明の実施の形態に係るカメラケースについて説明する。この実施の形態に係るカメラケースは、カメラを収納するためのカメラ用可搬型収納ケースである。図１及び図２は、この実施の形態に係るカメラケース２の構成を示す図であり、図１はカメラケース２の上被せ部４が閉じている状態を示す斜視図、図２はカメラケース２の上被せ部４が開いている状態を示す斜視図である。
【０００８】
カメラケース２は、カメラを収納する収納部６、収納部６にカメラを入れる際及び収納部６からカメラを出す際に開閉する蓋の機能を有する上被せ部４を備えている。収納部６は、前面部の一部と左側面部からなる左被せ部１０、前面部の一部と右側面部からなる右被せ部１２、前面部の一部と底面部からなる底被せ部１４及び背面部１６により形成されており、左被せ部１０、右被せ部１２、底被せ部１４及び背面部１６は、展開可能に構成されている。
【０００９】
上被せ部４の内面の端部にはボタンまたはワンタッチテープ等の留め具１５ａ、底被せ部１４の外面の中央部には留め具１５ａと対となる留め具１５ｂが設けられている。留め具１５ａ，１５ｂは、収納部６からカメラを出し入れする際に、開閉される。
【００１０】
図３は、カメラケース２を展開した状態を示す図である。図３に示すように、右被せ部１２の内面の端部には、ボタンまたはワンタッチテープ等の留め具１８が設けられており、留め具１８は、左被せ部１０の外面の中央部に設けられている留め具（図示せず）と対になっている。また、底被せ部１４は、その両側部に２つの折り返し部２０ａ，２０ｂを有しており、２つの折り返し部２０ａ，２０ｂの内面には、ボタンまたはワンタッチテープ等の留め具２２ａ，２２ｂが設けられている。留め具２２ａは左被せ部１０の外面の左側面部に設けられている留め具（図示せず）と対になっており、留め具２２ｂは右被せ部１２の外面の右側面部に設けられている留め具（図示せず）と対になっている。
【００１１】
カメラケース２を組み立てる場合には、まず、右被せ部１２の留め具１８と左被せ部１０の留め具（図示せず）を留めて、底被せ部１４の折り返し部２０ａ，２０ｂを折り返し、留め具２２ａと左被せ部１０の留め具（図示せず）及び留め具２２ｂと右被せ部１２の留め具（図示せず）とを留めることにより、収納部６を形成する。
【００１２】
カメラケース２の内面、即ち上被せ部４、左被せ部１０、右被せ部１２、底被せ部１４及び背面部１６の内面は、プロジェクタにより投写される画像を投影する材料、例えば、白または明るい灰色をした生地により構成されている。また、例えば図４に示すように、このカメラケース２は、収納部６の内面（図４においては、破線で示す領域Ｓ）をスクリーンとして自立するように組立可能に構成されている。
【００１３】
図４においては、上被せ部４及び背面部１６をスクリーンとして用いている。この場合、左被せ部１０を底部としてテーブル等の上に置き、底被せ部１４を右側の壁として用いている。このとき、左被せ部１０の外面の下部に、底被せ部１４の折り返し部２０ａの内面に設けられている留め具２２ａに対応する留め具（図示せず）を設け、この留め具と留め具２２ａとを留めることにより底部と右側の壁を固定するとよい。また、図４においては、右被せ部１２を天井として用いている。このとき、右被せ部１２の外面の下部に、底被せ部１４の折り返し部２０ｂの内面に設けられている留め具２２ｂに対応する留め具（図示せず）を設け、この留め具と留め具２２ｂとを留めることにより天井と右側の壁を固定するとよい。
【００１４】
また、カメラケース２は、図１に示すように、上被せ部４及び背面部１６の外面に、展開後の上被せ部４及び背面部１６の内面（領域Ｓ）を平面に固定するための固定部材２４を備えている。固定部材２４は、例えばスライド式の係止部材により構成されており、展開後においてはスライド部２４ｂを差込部２４ａに差し込むことにより上被せ部４及び背面部１６の内面を平面に固定し、展開前においてはスライド部２４ｂを差込部２４ａから引き出すことにより上被せ部４及び背面部１６の固定を解除する。
【００１５】
カメラケース２に収納していたカメラ２６がプロジェクタ機能を備えたものであった場合、カメラケース２の内面がプロジェクタにより投写される画像を投影する材料により構成されているため、図４に示すように、カメラ２６の撮影機能を用いて撮影された画像を、カメラ２６のプロジェクタ機能を用いてカメラケース２の内面の領域Ｓに投影することができる。
【００１６】
なお、図４においては、スクリーンとして用いる領域Ｓの周辺の明るさを抑えるために右被せ部１２を天井として用いているが、台が低い等の理由により画像を鑑賞するのが困難な場合、留め具２２ｂを外し、右被せ部１２を背面部１６の外面の方に折り返しておいてもよい。また、図４においては、左被せ部１０を底部として用いているが、右被せ部１２、底被せ部１４、背面部１６を底部として用いてもよい。
【００１７】
また、このカメラケース２は、例えば図５に示すように、他のカメラケース２´と接続することができる。図５においては、他のカメラケース２´はカメラケース２と同様の構成を有しており、カメラケース２の上被せ部４の留め具１５ａと、カメラケース２´の上被せ部の外面に設けられ、留め具１５ａと対になっている留め具（図示せず）とを接続することにより、カメラケース２とカメラケース２´は接続されている。
【００１８】
図５においては、カメラケース２の上被せ部４及び背面部１６、カメラケース２´の上被せ部４´及び背面部１６´をスクリーンとして用いている。上述したように、展開後の上被せ部４及び背面部１６、上被せ部４´及び背面部１６´の内面（図５においては破線で示す領域Ｓ´）は、固定部材により平面に固定されている。また、カメラケース２は図４と同様に左被せ部１０を底部として、底被せ部１４を右側の壁として、右被せ部１２を天井として組み立てられており、カメラケース２´は左被せ部１０´を天井として、底被せ部１４´を左側の壁として、右被せ部１２´を底部として組み立てられている。
【００１９】
この場合には、１つのカメラケースにより形成されるスクリーン領域より大きい領域を形成することができるため、投影される画像のサイズを大きくすることができる。例えば一緒に画像を鑑賞する人がカメラケースを携帯しているときなどに有効である。なお、図５においては、２つのカメラケースを接続させているが、３つ以上のカメラケースを接続させてもよい。また、図５においては、上被せ部４の留め具１５ａを用いて他のカメラケースと接続しているが、他の留め具を用いて他のカメラケースと接続してもよく、または他のカメラケースとの接続のための専用の接続部を設けてもよい。
【００２０】
この実施の形態に係るカメラケースによれば、収納部６の内面をスクリーンとすることができるため、投影するために適当なスクリーン、例えば略均一な白色や明るい灰色で平坦な壁や障子などがない場合においても、プロジェクタにより投影される画像を容易に鑑賞することができる。したがって、プロジェクタ機能を備えたカメラをこの実施の形態に係るカメラケースに収納し、携帯する場合に、場所を選ばずプロジェクタ機能を用いてカメラケースの内面をスクリーンにして画像を投影することができる。
【００２１】
なお、この実施の形態においては、可搬型収納ケースとしてカメラケースを例に挙げて説明したが、パソコン、携帯電話等の携帯型電子機器を収納する可搬型収納ケースにも本発明を適用することができる。また、携帯型電子機器に限らず、ビジネスケース等その他の可搬型収納ケースにも本発明を適用することができる。ビジネスケースやパソコンケース等の大きい可搬型収納ケースによれば、収納部を展開することにより大型のスクリーンを形成することができる。例えば、ビジネスマンが外出先でプレゼンテーションを行う場合など、スクリーンのない場所でも画像を投影することができる。
【００２２】
また、この実施の形態においては、カメラケース２の内面がプロジェクタにより投写される画像を投影する材料により構成されているが、カメラケース２のスクリーンとなる部分（この実施の形態においては、上被せ部４及び背面部１６）のみプロジェクタにより投写される画像を投影する材料により構成されるようにしてもよい。
【図面の簡単な説明】
【００２３】
【図１】実施の形態に係るカメラケースの構成を示す斜視図である。
【図２】実施の形態に係るカメラケースの構成を示す斜視図である。
【図３】実施の形態に係るカメラケースを展開した状態を示す図である。
【図４】実施の形態に係るカメラケースをスクリーンとして組み立てた状態を示す図である。
【図５】実施の形態に係るカメラケースが他のカメラケースと接続された状態を示す図である。
【符号の説明】
【００２４】
２…カメラケース、４…上被せ部、６…収納部、１０…左被せ部、１２…右被せ部、１４…底被せ部、１５ａ，１５ｂ，１８，２２ａ，２２ｂ…留め具、１６…背面部、２０ａ，２０ｂ…折り返し部、２４…固定部材、２６…カメラ。
【図１】
2009276432.tif 000003
【図２】
2009276432.tif 000004
【図３】
2009276432.tif 000005
【図４】
2009276432.tif 000006
【図５】
2009276432.tif 000007